(57)【要約】２Ｄモニタへの表示のために可視化ソフトウェアを用いて３Ｄデータセットをクロスプラットフォームにてデータ特有に可視化するための装置において、３Ｄボリュームデータが可視化ソフトウェアと一緒にデータ媒体に記憶され、このデータ媒体が使用者に任意のＰＣ上で再生するために伝達される。
2005534359.tif 000002
【特許請求の範囲】
【請求項１】
２Ｄモニタへの表示のために可視化ソフトウェアを用いて３Ｄデータセットをクロスプラットフォームにてデータ特有に可視化するための装置において、３Ｄボリュームデータが可視化ソフトウェアと一緒にデータ媒体に記憶され、このデータ媒体が使用者に任意のＰＣ上で再生するために伝達されることを特徴とする３Ｄデータセットの可視化装置。
【請求項２】
データ媒体には可視化パラメータも少なくとも部分的に変更不可能に記憶されていることを特徴とする請求項１記載の装置。
【請求項３】
データ媒体はＣＤであることを特徴とする請求項２記載の装置。
【発明の詳細な説明】
【技術分野】
【０００１】
本発明は、２Ｄモニタへの表示のために可視化ソフトウェアを用いて３Ｄデータセットをクロスプラットフォームにてデータ特有に可視化するための装置に関する。
【０００２】
パンフレット「ＳＩＥＮＥＴ  ＭａｇｉｃＶｉｅｗ  ３００，Ｉｍａｇｅ  Ｒｅｐｏｒｔｉｎｇ，Ｉｍａｇｅ  Ｐｒｏｃｅｓｓｉｎｇ  ａｎｄ  Ａｌｌ  Ｔｈａｔ  Ｇｏｅｓ  Ｗｉｔｈ  Ｉｔ」には、第２頁第１段から引き出せるように、２Ｄデータセットの可視化のための画像ビュアーが記載されている。そこでは、ディジタル画像がグレー値を表わす非連続の値のマトリックスとして規定されていることが説明されている。しかしながら、マトリックスは常に２次元であり、例えばＣＴ、ＭＲまたはＣアーム形ＣＴの３Ｄデータセットとして提供されるようなデータボリュームを代表していない。
【０００３】
２Ｄ撮影を３Ｄボリュームデータセットへ移行（マイグレーション）させることによって、ボリュームデータが医師同士で交換され、異なるコンピュータで可視化されなければならない問題が発生する。画一的な画質を保証するためには、医療上のデータセットのほかに、３Ｄデータを２Ｄモニタ上で可視化することを可能にするプログラムが使用可能でなければならない。異なるボリューム可視化方法の使用とアルゴリズムの多くパラメータ化方法とが異なる画質をもたらす。
【０００４】
従来、このようなボリュームデータの交換は大抵、ボリュームデータセットが、ＤＩＣＯＭインターフェースを介して、高価なボリューム可視化ソフトウェアを装備した医療ワークステーションに伝送されることによって行なわれていた。勿論、ボリューム可視化ソフトウェアが元の放射線医のコンピュータ上で使用されたのと同じソフトウェアでない場合に、ここでも困難が生じる。
【０００５】
更に、ボリュームデータセットの個々の眺めも発生され、標準画像フォーマットに記憶され、さらに次の人に引き渡される。例えばフォトショップ（Ｆｏｔｏｓｈｏｐ）の如き標準プログラムにより画像を任意のＰＣで見ることができる。結局、多数の定められた眺めを固定の順序でディジタルビデオ（例えば、ａｖｉ）として記録し、その後標準ソフトウェアツールにより再生することも既に提案されている。
【０００６】
従って、本発明の課題は、２Ｄモニタへの表示のために可視化ソフトウェアを用いて３Ｄデータセットをクロスプラットフォームにてデータ特有に可視化するための装置において、簡単な構成で、その都度使用されるコンピュータおよび場合によっては可視化ソフトウェアに依存せずに動作し、それにより３Ｄボリュームデータセットが最善の再生画質で任意の第三者からも予約されて見ることを可能にすることにある。
【０００７】
この課題を解決するために、本発明によれば、３Ｄボリュームデータが可視化ソフトウェアと一緒にデータ媒体（データキャリア）に記憶され、このデータ媒体が使用者に任意のＰＣ上で再生するために伝達される。
【０００８】
３Ｄボリュームデータセットを（任意の）可視化ソフトウェアと一緒に記憶させることによって、３ＤボリュームをあらゆるＰＣ上で、このＰＣに付加的に装備されたソフトウェアなしに、可視化することができる。更に、データセットと可視化アルゴリズムとから成るユニットは、任意のデータセットの表示を可能にする共通な可視化道具が問題ではないことを保証する。
【０００９】
本発明の実施態様において、データ媒体には可視化パラメータも少なくとも部分的に変更不可能に記憶されている。それによって、放射線医によって作成され特殊な可視化パラメータにより特定の構造を特に強調している３Ｄボリュームデータセットを、手術室において執刀医が利用でき、放射線医が専門知識に基づいて可視化パラメータを介して詳細化して強調した構造を執刀医も正確に見ることのできる有利な可能性が生じる。多くのケースにおいて、経験豊かではない医師へこのような３Ｄデータを伝達する場合にまさに、種々の可視化パラメータの全ての選択可能性を経験豊かではない医師に任せないことが合理的である。なぜならば、経験豊かではない医師では多くのケースにおいて全くこの任に耐えられず、結局はデータから全く有用な画像を引き出せないからである。可視化ソフトウェアと放射線医によって特定構造の最善の表示として見つけ出された可視化パラメータと共に３Ｄボリュームを１つのデータ媒体、好ましくはＣＤに記憶させることによって、簡単に、医師同士での３Ｄボリュームデータセットの引き渡しの問題は、引き渡しが非常に簡単であり、受取人は特別な装備（ワークステーション上の高価な可視化ソフトウェア）を必要とせず、受取人にとって関心のある３Ｄデータセットのデータが非放射線医も最適な表示を得るように再生されることによって解決される。勿論、決定された可視化パラメータを有するこのようなケースにおいても、執刀医にとっては、例えば特別に強調された骨構造または血管系を有する３Ｄボリュームデータセットを空間内で回転させて手術準備のためにあらゆる可能な視点から観察できる余地が残されている。
【００１０】
以下における図面に基づく実施例の説明から本発明の他の利点、特徴および詳細を明らかにする。図１は２Ｄモニタへの３Ｄボリュームデータセットの写像を概略的に示す。
【００１１】
３Ｄボリュームデータセットを作成する場合、関心ボリュームが光学的中心１から投射され、画像平面に、投射線上にある点が写像される。異なる光学的中心１によって作成された多数の２次元画像からアルゴリズムを介して３Ｄボリュームデータセットが算出される。図示されたように３Ｄボリュームデータセットを２Ｄモニタ２上に再構成する場合、投射線３上にある点が可変視点つまり、例えばグレー値を有するいわゆる可視化パラメータに応じて３ＤボリュームＶに加算され、２Ｄモニタ２上に一画素として写像される。この場合、可視化パラメータの設定は、経験豊かな放射線医しか使いこなせない特に難しい技法であり、一方通常の医者にとっては３Ｄボリュームデータセットから所望の構造を強調することは非常に困難である。可視化パラメータの設定に応じて、例えば３ＤボリュームＶにおける血管系または特定の骨構造またはその他の医学的細部が特に強調される。これらの可視化パラメータが、その都度使用された可視化ソフトウェアおよび３Ｄボリュームデータと一緒に、作成する放射線医によって共通に１つのデータ媒体に記録され、特にＣＤに書き込まれるならば、このデータ媒体は非常に簡単に医師または病院の他部門に発送することができ、そこでは可視化のために簡単なＰＣで十分であり、これは全く特別な可視化装備を必要とせず、つまり高価な可視化ソフトウェアを装備する必要はない。受取人が可視化パラメータをもはや全く変更することができないように可視化パラメータを同時に一緒に記憶させることは、あまり経験のない医師も、放射線医によって強調された構造を正確に良好な画質にて簡単なＰＣ上で観察できる利点を有する。
【００１２】
事例のシナリオは次のとおりである。
【００１３】
神経放射線医が血管撮影装置により３次元のボリュームデータセットを発生させ、動脈瘤がよく見えるようにボリュームを編集し、そして神経外科医用のＣＤに書き込む。神経外科医はＣＤを受取り、これを標準ＰＣで再生して直接に３Ｄデータセットを可視化し、分析することができる。神経外科医は専門ワークステーションに頼るのではなく、データセットを任意のコンピュータで観察でき、なおもこれを神経放射線医の同僚と同じ品質で観察できる。
【図面の簡単な説明】
【００１４】
【図１】２Ｄモニタへの３Ｄボリュームデータセットの写像を示す概略図
【符号の説明】
【００１５】
１        光学的中心
２        ２Ｄモニタ
３        投射線
Ｖ        ３Ｄボリューム
2005534359.tif 000003
【国際調査報告】
2005534359.tif 000004
2005534359.tif 000005
2005534359.tif 000006
2005534359.tif 000007
2005534359.tif 000008
2005534359.tif 000009